(57)【要約】【課題】製造時におけるトリムの発生を抑制又は低減可能であるとともに、鼠蹊部や臀部の被覆性に優れたパンツ型吸収性物品を提供すること。【解決手段】着用者の腹側に配される腹側シート部材２Ａと、着用者の背側に配される背側シート部材２Ｂと、それらに架け渡して固定された吸収性本体３とを具備し、ウエスト開口部ＷＯ及び一対のレッグ開口部ＬＯ，ＬＯを有するパンツ型吸収性物品１である。腹側シート部材２Ａ及び背側シート部材２Ｂは、物品横方向Ｙに伸縮性を有しており、少なくとも一方は、物品横方向中央線Ｌｙ側に、物品縦方向Ｘに伸縮性を有する第３シート部材４Ａ，４Ｂが連結されている。第３シート部材４Ａ，４Ｂは、吸収性本体３と重なる部分を、前記物品横方向中央線Ｌｙ側に向かって伸長させた状態で吸収性本体３と接合されており、吸収性本体３の近傍に、吸収性本体３に近づくに連れて物品縦方向Ｘの長さが漸増する部分Ｅを有している。【選択図】図２
2014124288.tif 000002
【特許請求の範囲】
【請求項１】
着用者の腹側に配される腹側シート部材と、着用者の背側に配される背側シート部材と、腹側シート部材及び背側シート部材に架け渡して固定された吸収性本体とを具備し、ウエスト開口部及び一対のレッグ開口部を有するパンツ型吸収性物品であって、
前記腹側シート部材及び背側シート部材は、物品横方向に伸縮性を有しており、
腹側シート部材及び背側シート部材の少なくとも一方は、物品横方向中央線側に、物品縦方向に伸縮性を有する第３シート部材が連結されており、
第３シート部材は、前記吸収性本体と重なる部分を、前記物品横方向中央線側に向かって伸長させた状態で該吸収性本体と接合されており、該吸収性本体の近傍に、吸収性本体に近づくに連れて物品縦方向の長さが漸増する部分を有しているパンツ型吸収性物品。
【請求項２】
前記吸収性本体は、吸収性コアと該吸収性コアを被覆するコアラップシートからなる吸収体を含み、第３シート部材に、該吸収性コアを収縮させないように物品縦方向の収縮力を調整した領域を設けた請求項１記載のパンツ型吸収性物品。
【請求項３】
第３シート部材は、２枚のシート及びそれらの間に伸長状態で固定された複数本の弾性部材を有する伸縮性シートからなり、該弾性部材は物品縦方向に配向している、請求項１又は２記載のパンツ型吸収性物品。
【請求項４】
前記吸収性本体は、吸収性コアと該吸収性コアを被覆するコアラップシートからなる吸収体を含み、前記第３シート部材は、該吸収性本体における、該吸収性コアから延出し物品縦方向に伸縮性を有する側部フラップ部に接合されている、請求項１〜３の何れか１項記載のパンツ型吸収性物品。
【請求項５】
請求項１記載のパンツ型吸収性物品の製造方法であって、
前記腹側シート部材の連続体及び前記背側シート部材の連続体の少なくとも一方に、第３シート部材として用いる伸縮性シートを連結する工程、
第３シート部材として用いる前記伸縮性シートを、その流れ方向において部分的に物品縦方向に相当する方向に伸長させ、伸長させた部分に、前記吸収性本体を重ねて接合する工程を具備するパンツ型吸収性物品の製造方法。
【請求項６】
請求項２に記載のパンツ型吸収性物品の製造方法であって、
第３シート部材として用いる伸縮性シートにおける、前記吸収性コアと重ねる部分の収縮力を消失又は低減させる収縮力調整工程を具備する請求項５記載のパンツ型吸収性物品の製造方法。
【請求項７】
前記伸縮性シートの伸長は、前記腹側シート部材の連続体又は前記背側シート部材の連続体に連結した後に行う請求項５又は６記載のパンツ型吸収性物品の製造方法。
【発明の詳細な説明】
【技術分野】
【０００１】
本発明は、パンツ型吸収性物品及びその製造方法に関する。
【背景技術】
【０００２】
従来、パンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とを接合して、ウエスト開口部及び一対のレッグ開口部を有するパンツ型に形成したパンツ型吸収性物品が知られている。
例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【０００３】
また、特許文献２には、腹側シート部材及び背側シート部材にスリット又は細長状開口からなる離間部を形成し、離間部より股間部側が、ウエスト側へ向かって斜め方向に引き上がられた状態とした使い捨ておむつが記載されている。
また、特許文献３には、前身頃用又は後身頃用の外装シートを、おむつの幅方向中央部で吸収性本体に対し股下側方向に伸長状態で接合されることによって、おむつ幅方向中央部の長手方向寸法が、おむつ幅方向両側部の長手方向寸法よりも長くなっている紙おむつが記載されている。この紙おむつでは、前身頃用又は後身頃用の外装シートが、おむつ長手方向に伸縮可能な素材を使用している。
【先行技術文献】
【特許文献】
【０００４】
【特許文献１】特表２００８−５０８０８２号公報
【特許文献２】特開２０１０−１６２２７７号公報
【特許文献３】特開２００９−２４７４１８号公報
【発明の概要】
【発明が解決しようとする課題】
【０００５】
外包材が、着用者の腹側に配される腹側シート部材と、着用者の背側に配される背側シート部材とに分割されている外包材前後分割型のパンツ型吸収性物品は、長さ方向に幅が一定の帯状のシート部材を、腹側シート部材及び背側シート部材に用いたり、１本の幅広シートを、切断点を該幅広シートの幅方向に移動させながら切断して２本に分割したものを腹側シート部材及び背側シート部材として用いることによって、切取り損失（トリムロス）を最小化することができる。
しかし、特許文献１のプルオン衣類のように、幅が一定の帯状のシート部材を用いた場合には、着用者の前側においては、吸収性本体の両側縁の外方に着用者の鼠蹊部近傍が露出し、着用者の後側において吸収性本体の両側縁の外方には着用者の臀部が大きく露出し、いずれの場合も漏れに対する不安感を与え易いという問題がある。他方、幅広シートを２本に分割して腹側シート部材及び背側シート部材として用いる方法は、一方の形状が他方の形状を制約するという問題がある。
【０００６】
特許文献２には、特許文献２の使い捨ておむつは、脚開口部の縁を鼠蹊部や臀部の周囲に沿った形状にできると記載されているが、特許文献２の使い捨ておむつにおいては、スリット又は細長状開口の存在により、腹側シート部材又は背側シート部材による着用者の胴回りの締め付け力等の設計の制約になる。しかも、特許文献２の使い捨ておむつにおいては、離間部より股間部側の領域の変形の自由度が劣り、腹側シート部材又は背側シート部材を無理におむつ縦方向に拡げたりした場合には、スリット又は細長状開口の端部に破れが生じたり、着用者の胴回りを締め付ける本来の機能を悪化さたり、漏れやすい印象を一層与えやすくなる。
特許文献３には、脚周りのラインに沿って湾曲する脚周りのフィット性と脚周り部からの体液の漏れ防止効果が向上することが記載されているが、腹側シート部材又は背側シート部材を吸収性本体に対し股下側方向に伸長状態で接合しており、腹側シート部材又は背側シート部材のおむつ幅方向への伸縮性に影響したり、接合時の長手方向の伸長によってウエスト部に下方への引っ張り力が発現し、ズレ落ち易くなったりする。
【０００７】
従って、本発明の課題は、前述した従来技術が有する欠点を解消し得るパンツ型吸収性物品を提供することにある。
【課題を解決するための手段】
【０００８】
本発明は、着用者の腹側に配される腹側シート部材と、着用者の背側に配される背側シート部材と、腹側シート部材及び背側シート部材に架け渡して固定された吸収性本体とを具備し、ウエスト開口部及び一対のレッグ開口部を有するパンツ型吸収性物品であって、前記腹側シート部材及び背側シート部材は、物品横方向に伸縮性を有しており、腹側シート部材及び背側シート部材の少なくとも一方は、物品横方向中央線側に、物品縦方向に伸縮性を有する第３シート部材が連結されており、第３シート部材は、前記吸収性本体と重なる部分を、前記物品横方向中央線側に向かって伸長させた状態で該吸収性本体と接合されており、該吸収性本体の近傍に、吸収性本体に近づくに連れて物品縦方向の長さが漸増する部分を有しているパンツ型吸収性物品を提供するものである。
【発明の効果】
【０００９】
本発明によれば、製造時におけるトリムの発生を抑制又は低減可能であるとともに、鼠蹊部や臀部の被覆性、装着性及び漏れ防止性に優れたパンツ型吸収性物品を提供することができる。
【図面の簡単な説明】
【００１０】
【図１】図１は、本発明の第１実施形態であるパンツ型使い捨ておむつを示す斜視図である。
【図２】図２は、図１に示すおむつの展開状態を吸収性本体側から見た展開平面図である。
【図３】図３は、第３シート部材として好ましく用いられる伸縮性シートの一例を示す図であり、（ａ）は平面図、（ｂ）は（ａ）のＩＩＩ−ＩＩＩ線拡大断面図である。
【図４】図４は、第３シート部材として好ましく用いられる伸縮性シートの他の例を示す平面図であり、（ａ）は自然状態（収縮状態）、（ｂ）は一部を幅方向に伸長させた状態を示す図である。
【図５】図５は、図４に示す伸縮性シートの製造工程の説明図である。
【図６】図６は、図１に示すおむつの好ましい製造方法の説明図である。
【図７】図７は、第３シート部材として好ましく用いられる伸縮性シートの更に他の例を示す平面図であり、（ａ）は自然状態（収縮状態）、（ｂ）は一部を幅方向に伸長させた状態を示す図である。
【図８】図８は、第３シート部材として好ましく用いられる伸縮性シートの更に他の例を示す平面図であり、（ａ）は自然状態（収縮状態）、（ｂ）は一部を幅方向に伸長させた状態を示す図である。
【発明を実施するための形態】
【００１１】
以下に、本発明のパンツ型吸収性物品をその好ましい実施形態に基づき図面を参照しながら説明する。
本発明の第１実施形態であるパンツ型使い捨ておむつ１（以下、おむつ１ともいう）は、図１に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備する。また、おむつ１は、着用時に、着用者の腹側に配される腹側部Ａと着用者の背側に配される背側部Ｂとその間に配される股下部Ｃを有しており、物品幅方向Ｙにおける腹側部Ａの両端部と背側部Ｂの両端部とが接合されて一対のサイドシール部Ｓ，Ｓが形成されている。また、この接合によって、ウエスト開口部ＷＯ及び一対のレッグ開口部ＬＯが形成されている。
【００１２】
おむつ１における腹側シート部材２Ａ及び背側シート部材２Ｂは何れも、図２に示すように、おむつの外面をなす外層シート２２と、外層シート２２の内面側に配された内層シート２３と、両シート２２，２３間に配された複数本の糸状の弾性部材２４とを備えており、腹側シート部材２Ａ及び背側シート部材２Ｂのそれぞれに、ウエスト伸縮部Ｇ１及び胴回り伸縮部Ｇ２が形成されている。複数本の弾性部材２４は、物品横方向Ｙに配向しており、ウエスト伸縮部Ｇ１及び胴回り伸縮部Ｇ２は、何れも物品横方向Ｙに伸縮性を有している。
【００１３】
ウエスト伸縮部Ｇ１は、ウエスト開口部Ｗｏの開口周縁部に形成されている。また、ウエスト伸縮部Ｇ１は、物品縦方向Ｘにおいて、吸収性本体３の同方向の両端３ａ，３ｂそれぞれより外方に形成されている。
ウエスト開口部Ｗｏの開口周縁部は、例えば、腹側シート部材２Ａ及び背側シート部材２Ｂのそれぞれにおいて、ウエスト開口部Ｗｏの周縁端Ｗｅからの距離が３ｃｍ以内の範囲である。
胴回り伸縮部Ｇ２は、腹側シート部材２Ａ及び背側シート部材２Ｂのそれぞれにおいて、ウエスト伸縮部Ｇ１と前記下縁部２ｄとの間に形成されている。
物品縦方向とは、着用者の腹側に配される部分から股間に配される部分を経て背側に配される部分に至る方向であり、通常、吸収性本体３の長手方向と一致している。他方、物品横方向Ｙは、図２に示すように、おむつの展開状態において、物品縦方向Ｘと直交する方向であり、図１に示すように、腹側部Ａの両側部と背側部Ｂの両側部とを連結されて形成された筒状の胴回り部においては、その周方向と一致している。
【００１４】
ウエスト伸縮部Ｇ１及び胴回り伸縮部Ｇ２は、それぞれ、物品横方向Ｙにおける、少なくとも、吸収性本体３の両側縁それぞれより外方に位置する部分において伸縮性を発現することが好ましい。また、ウエスト伸縮部Ｇ１は、腹側シート部材２Ａ及び背側シート部材２Ｂのサイドシール部Ｓ，Ｓ間の全長に亘って伸縮性を発現することが好ましい。
本実施形態におけるウエスト伸縮部Ｇ１及び胴回り伸縮部Ｇ２を形成する弾性部材２４は、吸収性本体３を横断して、腹側シート部材２Ａ及び背側シート部材２Ｂの全幅に亘って延びているが、胴回り伸縮部Ｇ２を形成する弾性部材２４は、吸収性本体３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることが好ましい。
【００１５】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００１６】
おむつ１における腹側シート部材２Ａ及び背側シート部材２Ｂは、何れも、弾性部材２４を伸長させて平面状に拡げた状態においては、横長の長方形状をなしており、物品縦方向Ｘの長さＬａ，Ｌｂが、物品横方向Ｙの全長に亘って均一である。
【００１７】
腹側シート部材２Ａ及び背側シート部材２Ｂは、それぞれ、物品縦方向Ｘに沿う一対の側縁部２ａ，２ｂを有し、一対のサイドシール部Ｓ，Ｓにおいては、該一対の側縁部２ａ，２ｂどうしが接合されている。具体的には、腹側シート部材２Ａの側縁部２ａと背側シート部材２Ｂの側縁部２ａとが接合され、且つ腹側シート部材２Ａの側縁部２ｂと背側シート部材２Ｂの側縁部２ｂとが接合されている。
【００１８】
腹側シート部材２Ａ及び背側シート部材２Ｂは、弾性部材２４を延ばして平面状に拡げた状態において矩形状であり、それぞれ、おむつ横方向Ｙに沿う一対の端縁部として、ウエスト開口部ＷＯ側に位置する上縁部２ｃと、物品横方向中央線Ｌｙ側に位置する下縁部２ｄとを有している。物品横方向中央線Ｌｙとは、物品を、物品横方向Ｙに延びる中央線であって、物品縦方向Ｘの物品の全長を２等分する中央線である。物品縦方向中央線Ｌｘとは、物品を、物品縦方向Ｘに延びる中央線であって、物品横方向Ｙの物品の全長を２等分する中央線である。
そして、腹側シート部材２Ａ及び背側シート部材２Ｂは、それぞれにおける物品の横方向中央線Ｌｙ側に、物品縦方向Ｘに伸縮性を有する第３シート部材４Ａ，４Ｂが連結されている。第３シート部材４Ａ，４Ｂは、それぞれ腹側シート部材２Ａおよび背側シート部材２Ｂと物品横方向Ｙに同じ長さで形成されている。
より具体的には、腹側シート部材２Ａの下縁部２ｄと第３シート部材４Ａの上縁部４ｃとが接合されており、背側シート部材２Ｂの下縁部２ｄと第３シート部材４Ｂの上縁部４ｃとが接合されている。腹側シート部材２Ａの下縁部２ｄと第３シート部材４Ａの上縁部４ｃ、及び背側シート部材２Ｂの下縁部２ｄと第３シート部材４Ｂの上縁部４ｃとの接合態様としては、図２等に示すように、腹側シート部材２Ａ又は背側シート部材２Ｂの吸収性本体側の面に、第３シート部材４Ａ又は４Ｂを重ねて接合しても良いし、腹側シート部材２Ａ又は背側シート部材２Ｂのおむつ外面側の面に第３シート部材４Ａ又は４Ｂを重ねて接合しても良い。また、腹側シート部材２Ａ又は背側シート部材２Ｂを構成する２枚のシート間に、第３シート部材４Ａ又は４Ｂを挟んで、それらの層間を接合しても良い。
【００１９】
図３は、第３シート部材４Ａ，４Ｂとして好ましく用いられる伸縮性シートの一例を示す図である。
図３に示す伸縮性シート４は、２枚のシート５，６の間に複数本の糸状弾性体７が、それぞれ、シート５，６の幅方向Ｘ’に伸長させた状態で接着固定された伸縮性シートであり、２枚のシート５，６を平面状に拡げた状態においては、物品横方向Ｙに相当する伸縮性シート４の長さ方向に長い横長の長方形状であり、弾性部材は物品縦方向Ｙに配向している。伸縮性シート４における複数本の糸状弾性体７は、物品横方向Ｙに相当する伸縮性シート４の長さ方向Ｙ’に所定間隔を置いて配置され、且つそれぞれ物品縦方向Ｘに相当する伸縮性シート４の幅方向Ｘ’に伸長された状態でシート５，６間に固定されている。それにより、伸縮性シート４は物品縦方向Ｘに伸縮性を有している。
また、伸縮性シート４は、第３シート部材４Ａ，４Ｂとしてパンツ型吸収性物品に用いられたときに、第３シート部材４Ａ，４Ｂそれぞれの物品縦方向Ｘの両端部に位置する端部領域４１，４３に、２枚のシート５，６間が接着剤で接合された端部接合部９，９を有しており、端部領域４１，４３間に位置する中央領域４２に、２枚のシート５，６間が接着剤で接合された複数本の中央接合部１０を有している。端部接合部９の幅Ｗ１は、中央接合部１０の幅Ｗ２よりも広いことが好ましい。端部接合部９は、所定の幅を有する帯状の領域として形成されており、中央接合部１０は、中央領域４２に直線状に複数本形成されている。
【００２０】
本実施形態における端部接合部９及び中央接合部１０は、それぞれ、接着剤、好ましくはホットメルト接着剤によりシート５，６間が接合された部分であり、それぞれ、物品横方向Ｙに相当する伸縮性シート４の長手方向Ｙ’に延びるように形成されている。また、複数本の糸状弾性体７は、一方の端部領域４１の端部接合部９から他方の端部領域４３の端部接合部９に亘って配されており、一対の端部接合部９，９及びそれらの間の複数本の中央接合部１０のそれぞれと重なる部分を有している。そして、糸状弾性体７は、端部接合部９及び中央接合部１０と重なる部分においては、接着剤を介して２枚のシート５，６間に挟まれた状態に固定されている。換言すれば、端部接合部９及び中央接合部１０のそれぞれにおける糸状弾性体７と重なる部分においては、それらの糸状弾性体７が、シート５，６どうし間に接着剤を介して固定されており、端部接合部９及び中央接合部１０のそれぞれにおける糸状弾性体７と重ならない部分においては、シート５，６どうし間が接着剤を介して直接接合されている。端部接合部９及び中央接合部１０においては、糸状弾性体７と、それを挟む２枚のシート５，６の一方又は両方との間が接着剤で接合されていることが好ましい。
【００２１】
また、端部接合部９及び中央接合部１０は、物品縦方向Ｘに相当する伸縮性シート４の幅方向Ｘ’に所定の間隔を置いて形成されており、隣り合う端部接合部９と中央接合部１０との間、及び隣り合う中央接合部１０どうし間は、シート５，６間に接着剤が配されていない非接着領域となっている。それらの非接着領域では、糸状弾性体７はシート５，６に対して非固定状態となっている。
２枚のシート５，６を平面状に拡げた状態においては、中央領域４２における糸状弾性体７は、伸長状態となっており、平面状に拡げた外力を除去すると、糸状弾性体７が配されている中央領域４２が収縮し、伸縮性シート４も、その幅方向に収縮する。糸状弾性体７は、その長手方向の端部又はその近傍が、端部接合部９に固定されている。
【００２２】
シート５，６どうしの接着及び該シート間への糸状弾性体７の固定に使用する接着剤としては、この種の伸縮性シート（ウエストパネル）において各部材間を接合するのに使用されているものを特に制限無く用いることができ、例えば、非晶性ポリオレフィン、エチレン−酢酸ビニル共重合体（ＥＶＡ）、エチレン−アクリル酸エステル共重合体（ＥＥＡ）、スチレンーブタジエンースチレンブロック共重合体（ＳＢＳ）、スチレンーイソプレンースチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）等の熱可塑性ポリマー及びそれらの混合物等が挙げられる。前記接着剤はホットメルト型（ホットメルト接着剤）が好ましい。
【００２３】
中央接合部１０の幅Ｗ２は、好ましくは０．５ｍｍ以上、更に好ましくは１ｍｍ以上であり、また、好ましくは５ｍｍ以下、更に好ましくは２ｍｍ以下であり、また、好ましくは０．５ｍｍ以上５ｍｍ以下、更に好ましくは１ｍｍ以上２ｍｍ以下である。
端部接合部９の幅Ｗ１は、前述したように、中央接合部１０の幅Ｗ２よりも広いことが好ましく、例えば、端部接合部９の幅Ｗ１は、中央接合部１０の幅Ｗ２の、好ましくは２倍以上、更に好ましくは４倍以上であり、また、好ましくは４０倍以下、更に好ましくは２０倍以下である。端部接合部１０の幅Ｗ１は、好ましくは２ｍｍ以上２０ｍｍ以下であり、更に好ましくは４ｍｍ以上１０ｍｍ以下である。
端部接合部９と中央接合部１０との間の幅Ｗ３及び中央接合部１０どうし間の幅Ｗ４は、それぞれ独立に、好ましくは１ｍｍ以上、更に好ましくは２ｍｍ以上であり、また、好ましくは３０ｍｍ以下、更に好ましくは２０ｍｍ以下であり、また、好ましくは１ｍｍ以上３０ｍｍ以下、更に好ましくは２ｍｍ以上２０ｍｍ以下である。
また、糸状弾性体７どうし間の距離Ｗ５は、好ましくは１ｍｍ以上、更に好ましくは３ｍｍ以上であり、また、好ましくは５０ｍｍ以下、更に好ましくは３０ｍｍ以下であり、また、好ましくは１ｍｍ以上５０ｍｍ以下、更に好ましくは３ｍｍ以上３０ｍｍ以下である。
また、物品縦方向に間欠配置された中央接合部１０の本数は、好ましくは２本以上、更に好ましくは３本以上であり、また、好ましくは２０本以下、より好ましくは１０本以下であり、また、好ましくは２本以上２０本以下、更に好ましくは３本以上１０本以下である。
【００２４】
おむつ１における吸収性本体３は、図１又は図２に示すように、液透過性の表面シート３１、液不透過性又は撥水性の裏面シート３２、及び両シート３１、３２間に介在配置された吸収性コア３３を有している。吸収性コア３３は、パルプ繊維等の繊維の集合体（不織布であっても良い）又はこれに吸水性ポリマーの粒子を保持させてなり、該吸収性コア３３の表裏両面は、図示しないコアラップシートによって被覆されている。コアラップシートとしては、透水性の薄葉紙（ティッシュペーパー）や不織布等が用いられる。
【００２５】
また、吸収性本体３の両側部には、一対の立体ガード形成用シート３４，３４が配されている。立体ガード形成用シート３４は、物品縦方向中心線Ｌｘ寄りの端縁近傍に、立体ガード形成用の弾性部材３５を有し、おむつの着用時には、その弾性部材３５の収縮力により、該端縁から所定幅の部分が表面シート３１から離間するように起立して立体ガードを形成する。
また、吸収性本体３の両側部には、側部フラップ部３６が形成されている。側部フラップ部３６は、吸収性コア３３の側縁３３ａより物品幅方向Ｙ外方に延出したシート材及び該シート材に固定されたギャザー形成用の糸状の弾性部材３７からなり、おむつの着用時には、その弾性部材３７の収縮力によりギャザーが形成され、脚周りに対して良好にフィットする。
【００２６】
図４は、第３シート部材４Ａ，４Ｂとして用いられる伸縮性シートの他の例を示す図である。
図４に示す伸縮性シート４’は、前述した伸縮性シート４に、吸収性コア３３を収縮させないように、物品縦方向Ｘに相当する伸縮性シートの幅方向Ｘ’の収縮力を調整した領域Ｒ２を設けたものである。
前記領域Ｒ２は、物品横方向Ｙに相当する伸縮性シートの長手方向Ｙ’の中央部に形成されており、該領域Ｒ２においては、伸縮性シートの幅方向Ｘ’の収縮力を、該吸収性コア３３を収縮させないように消失又は低下させてある。
より具体的には、伸縮性シート４’は、前述した伸縮性シート４における、吸収性本体３と重なる範囲Ｒ３及びその隣接部位ＲＳからなる一定の範囲Ｒ２の中央接合部１０を無くすとともに該範囲Ｒ２における糸状弾性体７を切断したものであり、それ以外の構成は、前述した伸縮性シート４と同様である。
【００２７】
第１実施形態のおむつ１における第３シート部材４Ａ，４Ｂは、この伸縮性シート４’からなり、図４（ｂ）に示すように、第３シート部材４Ａ，４Ｂは、前記領域Ｒ２における特に吸収性コア３３と重なる範囲Ｒ３３が、矢印Ｐで示す物品横方向中央線Ｌｙ側に向かって伸長させた状態で該吸収性本体３と接合されている。また、それによって、おむつ１に組み込まれた状態の第３シート部材４Ａ，４Ｂには、図２に示すように、物品横方向Ｙにおける、吸収性本体３の近傍に、吸収性本体３に近づくに連れて物品縦方向Ｘの長さが漸増する部分Ｅ，Ｅが形成されている。なお、第３シート部材４Ａ，４Ｂそれぞれの前記部分Ｅ，Ｅの下縁部４ｄは、吸収性本体３に近づくにつれて、物品の横方向中央線Ｌｙに近づいている。
【００２８】
本実施形態のおむつ１は、通常のパンツ型使い捨ておむつと同様に着用することができる。
＜腹側部側又は背側部側に第３シート部材を設けた場合の効果＞
本実施形態のおむつ１によれば、第３シート部材が縦方向に収縮し、使用者の体型に沿った形状に変形するため、違和感が無く履き心地が優れると共に、サイド部の形状は収縮し外形がスッキリとする。
特に、物品横方向に伸縮性を有する腹側シート部材２Ａ及び背側シート部材２Ｂとは別に、物品縦方向に伸縮性を有する第３シート部材４Ａ，４Ｂを用い、その第３シート部材４Ａ，４Ｂを伸長させて、上記部分Ｅ，Ｅ等の脚周りの形状を形成しているため、腹側シート部材２Ａ及び背側シート部材２Ｂを物品縦方向に伸長させた場合に比較して、ウエスト開口部Ｗｏの周縁端Ｗｅやウエスト伸縮部Ｇ１が下方にずれるといった、おむつのズレ落ちが生じにくく、装着感や漏れ防止性の悪化といった弊害も生じにくい。
【００２９】
＜背側部側に第３シート部材を設けた場合の効果＞
本実施形態のおむつ１によれば、物品縦方向Ｘに伸縮性を有する第３シート部材４Ｂの一部を伸長させて吸収性本体３に固定し、それによって、背側部Ｂ側における、第３シート部材４Ｂの吸収性本体３の近傍に、吸収性本体３に近づくに連れて物品縦方向Ｘの長さが漸増する部分Ｅ，Ｅを形成してあるため、幅広となった部分を有する第３シート部材４Ｂが、臀部を包むように湾曲して臀部の被覆性に優れる上に、トリムを発生させることなく製造することも可能である。
＜腹側部側に第３シート部材を設けた場合の効果＞
また、本実施形態のおむつ１によれば、物品縦方向Ｘに伸縮性を有する第３シート部材４Ａの一部を伸長させて吸収性本体３に固定し、それによって、腹側部Ａ側における、第３シート部材４Ａの吸収性本体３の近傍に、吸収性本体３に近づくに連れて物品縦方向Ｘの長さが漸増する部分Ｅ，Ｅを形成してあるため、前から見た場合に、褌（ふんどし）のような形状とならず、肌の露出が少なくなり、外観に優れる上に、トリムを発生させることなく製造することも可能である。また、側部フラップ部３６の、物品縦方向の中央側に向かう、より広い範囲が覆われるため、脚周りに形成されるギャザーが良好にフィットし防漏性が増す。
【００３０】
第３シート部材４Ａ，４Ｂにおける、吸収性本体３に近づくに連れて物品縦方向の長さが漸増する部分Ｅ，Ｅは、吸収性本体３の側縁からの距離が３０ｍｍ以内の範囲に、少なくともその一部を有することが好ましい。また、吸収性本体３に近づくに連れて物品縦方向の長さが漸増する部分Ｅ，Ｅは、吸収性本体３の側縁とサイドシール部との間の全域において第３シート部材の物品縦方向の長さが漸増している場合の一部分であっても良い。
【００３１】
臀部の被覆性又は鼠蹊部の被覆性等の観点から、第３シート部材４Ａ及び第３シート部材４Ｂは、それぞれ独立に、物品縦方向Ｘの長さが最大の部位と物品縦方向の部位が最小の位置との間の物品縦方向Ｘの距離Ｌｅ（図２参照）が、好ましくは１０ｍｍ以上、更に好ましくは２０ｍｍ以上であり、また、好ましくは１５０ｍｍ以下、更に好ましくは１００ｍｍ以下であり、また、好ましくは１０ｍｍ以上１５０ｍｍ以下、更に好ましくは２０ｍｍ以上１００ｍｍ以下である。
前記距離Ｌｅは、弾性体を含む腹側シート部材、背側シート部材を平面状に広げ、かつ、第３シート部材が自然に収縮した状態で測定する。なお、腹側シート部材、背側シート部材、及び第３シート部材（伸縮性シート４）の、前記距離Ｌｅ以外の部分の寸法は、各シート部材を、弾性部材を伸長させて平面状に拡げた状態で測定する。
【００３２】
また、本実施形態のおむつ１においては、第３シート部材４Ａ，４Ｂに、吸収性コア３３を収縮させないように物品縦方向Ｘの収縮力を調整した領域Ｒ２を設けてある。
そのため、吸収性コア３３が物品縦方向に収縮して変形することにより生じるフィット感の悪化や吸収性能の低下を防止することができる。このような効果は、第３シート部材４Ａ又は４Ｂにおける吸収性コア３３と重なる部分のみの収縮力を、該吸収性コア３３を収縮させないように低下させた場合にも奏される。
【００３３】
第３シート部材４Ａ，４Ｂにおける、収縮力を調整する領域Ｒ２、より具体的には収縮力を消失又は低下させる領域Ｒ２の物品横方向Ｙの長さＷ６は、それぞれが連結される腹側シート部材又は背側シート部材における物品横方向Ｙの全長（一対のサイドシール部間の長さに同じ）の、好ましくは１０％以上、更に好ましくは２０％以上であり、また、好ましくは８０％以下、更に好ましくは７０％以下であり、また、好ましくは１０％以上８０％以下、更に好ましくは２０％以上７０％以下である。
また、前記長さＷ６は、第３シート部材４Ａ又は４Ｂと重なる部位における、吸収性本体３の物品横方向Ｙの全長に対して、好ましくは８０％以上、更に好ましくは９０％以上であり、また、好ましくは１５０％以下、更に好ましくは１２０％以下であり、また、好ましくは８０％以上１５０％以下、更に好ましくは９０％以上１２０％以下である。
また、前記長さＷ６は、第３シート部材４Ａ又は４Ｂと重なる部位における、吸収性コア３３の物品横方向Ｙの全長に対して、好ましくは９５％以上、更に好ましくは１００％以上であり、また、好ましくは１７５％以下、更に好ましくは１４５％以下であり、また、好ましくは９５％以上１７５％以下、更に好ましくは１００％以上１４５％以下である。
【００３４】
また、本実施形態のおむつ１においては、第３シート部材４Ａ及び第３シート部材４Ｂは、吸収性コア３３と重なる範囲Ｒ３３のみならず、吸収性本体３と重なる範囲Ｒ３における収縮力を消失させてある。そのため、側部フラップ部３６の伸縮力が締まり過ぎ、フィット感を損なうことを防止できる。
【００３５】
更に、本実施形態のおむつ１においては、第３シート部材４Ａ及び第３シート部材４Ｂは、吸収性本体３と重なる範囲Ｒ３に加えて、その隣接部位ＲＳにおける収縮力も消失させてある。吸収体本体３と重なる部分Ｒ３に加えて、その隣接部位ＲＳについても、縦方向の収縮力を低下又は低下させると、当該部分の収縮力の開放により生地のサイズが大きくなるためゆったりと着用でき、特に大きいサイズの使用者の適用サイズに応じることができるなど、第３シート部材４Ａ，４Ｂ自体を変更せずにフレキシブルに商品設計ができる。
【００３６】
また、本実施形態におけるように、吸収体本体３と重なる部分Ｒ３の隣接部位ＲＳの物品縦方向の収縮力を調整して、前述した第３シート部材４Ａ，４Ｂの物品縦方向Ｘの長さが漸増する部分Ｅ，Ｅの物品縦方向の収縮力を低下又は消失させると、第３シート部材４Ａ，４Ｂを、図４（ｂ）中の矢印Ｐ方向に引っ張ることによる、腹側シート部材２Ａや背側シート部材２Ｂへの縦方向への力の影響を、低下又は消失させることができるため、着用時におむつが一層ズレ落ちにくくなる。
【００３７】
なお、吸収体本体３と重なる部分Ｒ３の隣接部位ＲＳ、あるいは第３シート部材４Ａ，４Ｂにおける前記物品縦方向Ｘの長さが漸増する部分Ｅ，Ｅの収縮力を低下させる方法としては、伸縮性シート４における複数本の中央接合部１０を残しておき、糸状弾性体７を、隣接する中央部接合部１０間の複数の領域のうちの一部の領域のみで切断する方法等が挙げられる。
【００３８】
吸収性本体３と重なる範囲に加えてその隣接部位ＲＳの収縮力を消失又は低下させる場合、収縮力を消失又は低下させる隣接部位ＲＳの幅Ｗ７（物品横方向の長さ）は、吸収性本体３の側縁とサイドシール部との間の距離の、好ましくは５％以上、更に好ましくは  １０％以上であり、また、好ましくは７０％以下、更に好ましくは５０％以下であり、また、好ましくは５％以上７０％以下、更に好ましくは１０％以上５０％以下である。
【００３９】
本発明における第３シート部材４Ａ，４Ｂは、それぞれ、吸収性本体３と重なる部分の全域が、接着剤等によって、吸収性本体３と接合されていても良いし、吸収性本体３と重なる部分の一部が、接着剤等によって、吸収性本体３と接合されていても良い。
本実施形態のおむつ１においては、第３シート部材４Ａ，４Ｂは、それぞれ、吸収性本体３における、吸収性コア３３から延出し、物品縦方向Ｘに伸縮性を有する側部フラップ部３６に接合されている。斯かる構成により、太腿の周囲に対するフィット性が向上する。なお、図２中、斜めのハッチング部が、第３シート部材４Ａ，４Ｂと側部フラップ部３６とが接合されている領域である。
【００４０】
また、本実施形態のおむつ１においては、第３シート部材４Ａ，４Ｂのそれぞれにおける左右の側部フラップ部どうし間も全域に亘って吸収性本体２３に接着剤により接合されている。また、腹側シート部材２Ａ及び背側シート部材２Ｂも、吸収性本体３が重なる部分を有し、吸収性本体３と重なっている部分の全域が該吸収性本体３と接着剤により接合されている。但し、腹側シート部材２Ａ及び背側シート部材２Ｂと吸収性本体３との接合態様、第３シート部材４Ａ，４Ｂと吸収性本体３との接合態様は、上記の態様に制限されず、適宜の態様で接合することができる。
なお、吸収性本体３は、その全幅（物品横方向の長さ）に対して、第３シート部材４Ａ又は４Ｂと接合されている領域の幅（物品横方向の長さ）が、好ましくは７０％以上、更に好ましくは８５％以上であり、また、好ましくは１００％以下であり、また、好ましくは８０％以上１００％以下、更に好ましくは９０％以上１００％以下である
【００４１】
また、本実施形態のおむつ１によれば、通気効果により湿気を逃がしやすいという効果も奏される。即ち、第３シート部材４，４’は、収縮により、図３（ｂ）の横断面形状のように凹凸形状を成すため、肌との接触が少なくこすれなどの違和感が起こりにくくなると共に、肌との非接触部の空間による通気効果により湿気がこもりにくい。またこの通気効果は、動きの多い足元に第３シート部材４，４’を設けることによって、圧縮・開放動作よる凹凸素材のふいご効果が発生し、より一層の効果を発現できる。
【００４２】
本発明のパンツ型吸収性物品は、腹側シート部材２Ａと連結する第３シート部材４Ａ又は背側シート部材２Ｂと連結する第３シート部材４Ｂとして、図３に示す伸縮性シート４のように、吸収性本体３の側部シート部３６と重なる部分に物品縦方向に対応する方向Ｘ’に伸縮性を有するものを用いることも好ましい。斯かる伸縮性シートとしては、吸収性コア３３と重なる部分のみの伸縮性を消失又は低減させたものを用いることもできる。
これらの場合、縦方向に力が作用するのでフィット性が良好でズレ落ちを防止する効果が生まれる。即ち、吸収体は横方向に伸張可能な腹側シート部材、背側シート部材、及び縦方向に伸張可能な第３シート部材上に載置されているので吸収体がフレキシブルに稼動可能となりフィット性が良好となる。特に使用者の動作時には、第３シート部材の縦方向への伸張が有効に作用し、腹側シートと背側シートの横方向に加わるズレ落ち防止力を損なうことなく脚周りの追従性が機能する。
【００４３】
次に、本発明のパンツ型吸収性物品の製造方法の一実施態様について、上述したパンツ型使い捨ておむつ１を製造する場合を例にして説明する。
（第３シート部材として用いる伸縮性シートの製造）
本発明の好ましい一実施態様においては、先ず第３シート部材４Ａ，４Ｂとして用いる伸縮性シート４’を製造する。
伸縮性シート４’を製造するには、先ず、図５（ａ）に示すような、長手方向に間欠的に中央接合部１０が存在しない領域Ｒ１を有する伸縮性シート４Ｍを製造する。伸縮性シート４Ｍは、例えば、特開２０１１−２８２５９４号公報に記載の伸縮性シートの製造装置や、特開２０１２−０９０８３６号公報、特開２０１１−２８２５９４号公報等に記載の伸縮性シートの製造方法を用いて、一対の帯状シートの間に糸状弾性体を該帯状シートの搬送方向と交差する方向に伸長した状態に固定した伸縮性シートを連続的に製造するに当たり、一対の帯状シートの一方又は双方に、得られる伸縮性シートに図４や図５（ａ）に示す態様で端部接合部９及び中央接合部１０が形成されるように接着剤を塗工することによって製造することができる。
次いで、図５（ｂ）に示すように、得られた伸縮性シート４Ｍにおける、中央接合部１０をなくした領域Ｒ１の糸状弾性体７を切断し、伸縮性シート４Ｍにおける、吸収性コアと重ねる部分の収縮力を消失又は低減させる（収縮力調整工程）。この糸状弾性体７の切断は、複数の凸部を相互に離間した状態に有する加圧部を周面に備えた加圧ロール等を用いて、シート間に挟まれた糸状弾性体７をシートの上から加圧して行う。図中、符号７１で示す黒丸が、加圧部の凸部によるシートの加圧部位であり、当該加圧部位において糸状弾性体７が切断される。
このようにして、幅方向の収縮性が消失又は低下した領域Ｒ２を、長さ方向に間欠的に有する帯状の伸縮性シート４’が得られる。
【００４４】
（連結工程）
次いで、図６（ａ）及び（ｂ）に示すように、公知の方法により製造した腹側シート部材の連続体２Ａ’及び背側シート部材の連続体２Ｂ’を、それぞれ連続搬送させながら、それらの両連続体２Ａ’，２Ｂ’に対して、前述のようにして製造した帯状の伸縮性シート４’，４’をそれぞれ連結させる。両連続体２Ａ’，２Ｂ’と伸縮性シート４’との連結は、伸縮シート４における、完成したおむつにおいて第３シート部材の上縁部４ｃとなる側の側縁部４ｃ’と、両連続体２Ａ’，２Ｂ’における、完成したおむつにおいて腹側又は背側シート部材２Ａ，２Ｂの下縁部２ｄとなる側の側縁部２ｄ’とを重ねて接合する。この接合には、接着剤、熱シール、超音波シール、高周波シール又はこれらの組み合わせ等の適宜の接合方法を採用し得る。
この連結工程により、腹側シート部材の連続体２Ａ’に伸縮性シート４’が連結した腹側連結複合シートＡ’及び背側シート部材の連続体２Ｂ’に伸縮性シート４’が連結した背側連結複合シートＢ’が得られる。
【００４５】
（伸長工程）
次いで、連結工程で得られた腹側連結複合シートＡ’及び背側連結複合シートＢ’のそれぞれにおける伸縮性シート４’の前記領域Ｒ２を、腹側シート部材の連続体２Ａ’又は背側シート部材の連続体２Ｂ’からなる部分から離れる矢印Ｐ方向に伸長させる。この伸長方向は、おむつ１における物品縦方向Ｘに相当する方向である。
伸縮性シート４’の前記領域Ｒ２を伸長させる方法としては、伸縮性シート４’における前述した腹側連結複合シートＡ’又は背側連結複合シートＢ’に接合された側縁部４ｃ’とは反対側の側縁部４ｄ’における片面を、第１の吸着手段に吸着させるとともに、搬送方向に直交する方向において側縁部４ｄ’から離間した部位の片面を、第２の吸着手段に吸着させた後、第１の吸着手段と第２の吸着手段との間隔を拡大させる方法等、任意の方法を採用し得る。
【００４６】
（吸収性本体の固定工程）
そして、吸収性本体３を、伸縮性シート４’における伸長した前記領域Ｒ２上に配置し、吸収性本体３を、腹側連結複合シートＡ’及び背側連結複合シートＢ’に対して接合させる。この接合は、伸縮性シート４’における伸長した前記領域Ｒ２上に、吸収性本体３が接合して、伸縮性シート４’の伸長した状態が維持されるようにする。この接合には、好ましくは接着剤が用いられるが、接着剤に代えて、あるいは接着剤とともに他の接合方法を採用することもできる。なお、吸収性本体３は、腹側シート部材の連続体２Ａ’及び背側シート部材の連続体２Ｂ’にも接合されている。
上述した実施形態のおむつ１は、このようにして得られた、おむつの連続体１’を、図６（ｅ）に示すように、常法に従って、２つ折りした後、サイドシール部Ｓの形成及び切断を行うことによって得られる。
【００４７】
本実施態様の製造方法によれば、鼠蹊部や臀部の被覆性等に優れた前述した使い捨ておむつ１を、脚回りに配される部分を所定形状に切断してトリムを発生させることなく効率よく製造することができる。
【００４８】
おむつ１の形成材料について説明する。
外層シート２２、内層シート２３、伸縮性シート４のシート材５，６としては、使い捨ておむつ等の吸収性物品に従来用いられている各種のシート材を特に制限なく用いることができる。例えば、不織布を用いることが好ましく、不織布は、構成繊維が、単一樹脂の繊維に限られず、芯鞘型複合繊維やサイド・バイ・サイド型複合繊維などの複合繊維を用いることもできる。また、不織布としては、エアスルー不織布、ヒートロール不織布、スパンレース不織布、スパンボンド不織布、メルトブローン不織布の単層の不織布又はこれらが２層以上に積層された積層不織布等を用いることもできる。また、外層シート２２，内層シート２３として、不織布とフィルムとを一体化したシート等を用いることもできる。
【００４９】
表面シート３１、裏面シート３２、吸収性コア３３及び立体ガード形成用シート３４としては、使い捨ておむつ等の吸収性物品に従来用いられているもの等を、特に制限なく用いることができる。例えば、表面シート３１としては、液透過性の不織布や、開孔フィルム、これらの積層体等を用いることができ、裏面シート３２としては、樹脂フィルムや樹脂フィルムと不織布の積層体等を用いることができる。吸収性コア３３は、例えば、パルプ等の繊維材料の繊維集合体又はこれに高吸収性ポリマーを担持させたものを用いることができる。立体ガード形成用シート３４としては、伸縮性のフィルム、撥水性の不織布、織物又はそれらの積層シート等を用いることができる。
【００５０】
弾性部材２４，３５，３７及び糸状弾性体７の形成材料としては、使い捨ておむつ等の吸収性物品に従来用いられる各種の弾性材料を特に制限なく用いることができる。例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。糸状弾性体７も、紐状（平ゴム等）のものであっても良い。
【００５１】
以上、本発明のパンツ型吸収性物品及びパンツ型吸収性物品の製造方法は、上述した実施形態に制限されることなく、適宜に変更可能である。
例えば、第３シート部材として用いる伸縮性シートは、図７及び図８に示すように、中央接合部１０に加えて、一方の端部接合部９を無くして、物品縦方向の収縮力を調整した領域Ｒ２を設けたものであっても良い。図７に示す伸縮性シートは、完成したおむつにおいて物品横方向中央線Ｌｙに近い側の端部接合部９を残す一方、腹側又は背側シート部材２Ａ，２Ｂに近い側の端部接合部９を無くしてあり、図８に示す伸縮性シートは、腹側又は背側シート部材２Ａ，２Ｂに近い側の端部接合部９を残す一方、物品横方向中央線Ｌｙに近い側の端部接合部９を無くしてある。図７及び図８に示す伸縮性シートは、上述の糸状弾性体７を切断したり、収縮力を消失又は低減させる収縮力調整工程を省略して、物品縦方向の収縮力を調整した領域Ｒ２を設けることができる。
図７及び図８に示す伸縮性シートを第３シート部材に用いた使い捨ておむつにおいても、上述したおむつ１と同様の効果が奏される。
【００５２】
また、本発明のパンツ型吸収性物品は、前述した伸縮性シート４を第３シート部材に用いたものであっても良い。
また、第３シート部材として用いる伸縮性シートは、糸状弾性体を挟む２枚のシート５，６間が伸縮性シートの全域において接着されているものであっても良い。また、第３シート部材として、物品縦方向のみならず物品横方向にも伸縮性を有するものを用いても良い。
【００５３】
また、上述した実施形態のおむつ１は、腹側シート部材２Ａ及び背側シート部材２Ｂのそれぞれに第３シート部材４Ａ，４Ｂが接合されていたが、腹側シート部材２Ａのみに第３シート部材が連結されていても良いし、背側シート部材２Ｂのみに第３シート部材が連結されていても良い。
また、パンツ型吸収性物品は、幼児又は成人用のパンツ型使い捨ておむつの他、パンツ型（ショーツ型）の生理用ナプキンやパンツ型の失禁パッド等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００５４】
上述した実施形態に関し、さらに以下のパンツ型吸収性物品及びパンツ型吸収性物品の製造方法を開示する。
＜１＞
着用者の腹側に配される腹側シート部材と、着用者の背側に配される背側シート部材と、腹側シート部材及び背側シート部材に架け渡して固定された吸収性本体とを具備し、ウエスト開口部及び一対のレッグ開口部を有するパンツ型吸収性物品であって、
前記腹側シート部材及び背側シート部材は、物品横方向に伸縮性を有しており、
腹側シート部材及び背側シート部材の少なくとも一方は、物品横方向中央線側に、物品縦方向に伸縮性を有する第３シート部材が連結されており、
第３シート部材は、前記吸収性本体と重なる部分を、前記物品横方向中央線側に向かって伸長させた状態で該吸収性本体と接合されており、該吸収性本体の近傍に、吸収性本体に近づくに連れて物品縦方向の長さが漸増する部分を有しているパンツ型吸収性物品。
【００５５】
＜２＞
前記吸収性本体は、吸収性コアと該吸収性コアを被覆するコアラップシートからなる吸収体を含み、第３シート部材に、該吸収性コアを収縮させないように物品縦方向の収縮力を調整した領域を設けた前記＜１＞記載のパンツ型吸収性物品。
＜３＞
第３シート部材は、２枚のシート及びそれらの間に伸長状態で固定された複数本の弾性部材を有する伸縮性シートからなり、該弾性部材は物品縦方向に配向している、前記＜１＞又は＜２＞に記載のパンツ型吸収性物品。
＜４＞
伸縮性シートにおける複数本の糸状弾性体は、物品横方向に相当する伸縮性シートの長さ方向に所定間隔を置いて配置され、且つそれぞれ物品縦方向に相当する伸縮性シートの幅方向に伸長された状態でシート間に固定されている、前記＜３＞記載のパンツ型吸収性物品。
＜５＞
前記吸収性本体は、吸収性コアと該吸収性コアを被覆するコアラップシートからなる吸収体を含み、前記第３シート部材は、該吸収性本体における、該吸収性コアから延出し物品縦方向に伸縮性を有する側部フラップ部に接合されている、前記＜１＞〜＜４＞の何れか１に記載のパンツ型吸収性物品。
＜６＞
第３シート部材の物品縦方向の両端部に位置する端部領域に、２枚のシート間が接着剤で接合された端部接合部を有しており、端部領域間に位置する中央領域に、２枚のシート間が接着剤で接合された複数本の中央接合部を有しており、端部接合部及び中央接合部はそれぞれ物品横方向Ｙに延びるように形成され、また端部接合部の幅Ｗ１は、中央接合部の幅Ｗ２よりも広い、前記＜３＞〜＜５＞の何れか１に記載のパンツ型吸収性物品。
＜７＞
中央接合部の幅Ｗ２は、好ましくは０．５ｍｍ以上、更に好ましくは１ｍｍ以上であり、また、好ましくは５ｍｍ以下、更に好ましくは２ｍｍ以下であり、また、好ましくは０．５ｍｍ以上５ｍｍ以下、更に好ましくは１ｍｍ以上２ｍｍ以下である、前記＜６＞記載のパンツ型吸収性物品。
＜８＞
端部接合部の幅Ｗ１は、中央接合部１０の幅Ｗ２の、好ましくは  ２倍以上、更に好ましくは４倍以上であり、また、好ましくは４０倍以下、更に好ましくは２０倍以下である、前記＜６＞又は＜７＞記載のパンツ型吸収性物品。
＜９＞
収縮力を調整した領域は、中央接合部を無くすとともに該領域における糸状弾性体を切断している、前記＜６＞〜＜８＞の何れか１に記載のパンツ型吸収性物品。
【００５６】
＜１０＞
前記漸増する部分の収縮力を低下させる方法は、第３シート部材における複数本の中央接合部は残しておき、糸状弾性体を、隣接する中央部接合部の複数の領域のうちの一部の領域のみで切断する、前記＜６＞〜＜８＞の何れか１に記載のパンツ型吸収性物品。
＜１１＞
前記第３シート部材の漸増する部分は、その下縁部が、吸収性本体に近づくにつれて、物品の横方向中央線Ｌｙに近づいている、前記＜１＞〜＜１０＞の何れか１に記載のパンツ型吸収性物品。
＜１２＞
前記第３シート部材の漸増する部分は、吸収性本体の側縁からの距離が３０ｍｍ以内の範囲に、少なくともその一部を有する、前記＜１＞〜＜１１＞の何れか１に記載のパンツ型吸収性物品。
＜１３＞
前記吸収性本体の側縁とサイドシール部との間の全域において前記第３シート部材の物品縦方向の長さが漸増している、前記＜１＞〜＜１２＞の何れか１に記載のパンツ型吸収性物品。
＜１４＞
第３シート部材は、物品縦方向Ｘの長さが最大の部位と物品縦方向の部位が最小の位置との間の物品縦方向Ｘの距離Ｌｅが、好ましくは１０ｍｍ以上、更に好ましくは２０ｍｍ以上であり、また、好ましくは１５０ｍｍ以下、更に好ましくは１００ｍｍ以下であり、また、好ましくは１０ｍｍ以上１５０ｍｍ以下、更に好ましくは２０ｍｍ以上１００ｍｍ以下である、前記＜１＞〜＜１３＞の何れか１に記載のパンツ型吸収性物品。
＜１５＞
第３シート部材における収縮力を調整する領域Ｒ２の物品横方向Ｙの長さＷ６は、連結される腹側シート部材又は背側シート部材における物品横方向Ｙの全長（一対のサイドシール部間の長さに同じ）の、好ましくは１０％以上、更に好ましくは２０％以上であり、また、好ましくは８０％以下、更に好ましくは７０％以下であり、また、好ましくは１０％以上８０％以下、更に好ましくは２０％以上７０％以下である、前記＜２＞〜＜１４＞の何れか１に記載のパンツ型吸収性物品。
＜１６＞
第３シート部材における収縮力を調整する領域Ｒ２の物品横方向Ｙの長さＷ６は、第３シート部材と重なる部位における、吸収性本体の物品横方向Ｙの全長に対して、好ましくは８０％以上、更に好ましくは９０％以上であり、また、好ましくは１５０％以下、更に好ましくは１２０％以下であり、また、好ましくは８０％以上１５０％以下、更に好ましくは９０％以上１２０％以下である、前記＜２＞〜＜１５＞の何れか１に記載のパンツ型吸収性物品。
＜１７＞
第３シート部材における収縮力を調整する領域Ｒ２の物品横方向Ｙの長さＷ６は、第３シート部材と重なる部位における、吸収性コアの物品横方向Ｙの全長に対して、好ましくは９５％以上、更に好ましくは１００％以上であり、また、好ましくは１７５％以下、更に好ましくは１４５％以下であり、また、好ましくは９５％以上１７５％以下、更に好ましくは１００％以上１４５％以下である、前記＜２＞〜＜１６＞の何れか１に記載のパンツ型吸収性物品。
＜１８＞
第３シート部材は、その収縮力を、吸収性本体と重なる範囲に加えて、その隣接部位も消失させている、前記＜２＞〜＜１６＞の何れか１に記載のパンツ型吸収性物品。
＜１９＞
吸収性本体と重なる範囲に加えてその隣接部位の収縮力を消失又は低下させる場合、収縮力を消失又は低下させる隣接部位の幅Ｗ７（物品横方向の長さ）は、吸収性本体の側縁とサイドシール部との間の距離の、好ましくは５％以上、更に好ましくは  １０％以上であり、また、好ましくは７０％以下、更に好ましくは５０％以下であり、また、好ましくは５％以上７０％以下、更に好ましくは１０％以上５０％以下である、前記＜２＞〜＜１８＞の何れか１に記載のパンツ型吸収性物品。
【００５７】
＜２０＞
前記腹側シート部材及び前記背側シート部材のそれぞれに前記第３シート部材が連結されている、前記＜１＞〜＜１９＞の何れか１に記載のパンツ型吸収性物品。
＜２１＞
前記腹側シート部材及び前記背側シート部材は、パンツ型吸収性物品の外面をなす外層シートと、該外層シートの内面側に配された内層シートと、両シート間に配された複数本の糸状の弾性部材とを備えている、前記＜１＞〜＜２０＞の何れか１に記載のパンツ型吸収性物品。
＜２２＞
前記腹側シート部材及び前記背側シート部材は、それぞれ、物品縦方向Ｘに沿う一対の側縁部を有し、該一対の側縁部どうしが接合された一対のサイドシール部を有している、前記＜１＞〜＜２１＞の何れか１に記載のパンツ型吸収性物品。
＜２３＞
前記第３シート部材は、それぞれ腹側シート部材及び背側シート部材と物品横方向に同じ長さで形成されている、前記＜１＞〜＜２２＞の何れか１に記載のパンツ型吸収性物品。
＜２４＞
前記パンツ型吸収性物品は、幼児又は成人用のパンツ型使い捨ておむつ、パンツ型（ショーツ型）の生理用ナプキン、パンツ型の失禁パッドである、前記＜１＞〜＜２３＞の何れか１に記載のパンツ型吸収性物品。
【００５８】
＜２５＞
前記＜１＞記載のパンツ型吸収性物品の製造方法であって、
前記腹側シート部材の連続体及び前記背側シート部材の連続体の少なくとも一方に、第３シート部材として用いる伸縮性シートを連結する工程、
第３シート部材として用いる前記伸縮性シートを、その流れ方向において部分的に物品縦方向に相当する方向に伸長させ、伸長させた部分に、前記吸収性本体を重ねて接合する工程を具備するパンツ型吸収性物品の製造方法。
＜２６＞
前記＜２＞に記載のパンツ型吸収性物品の製造方法であって、
第３シート部材として用いる伸縮性シートにおける、前記吸収性コアと重ねる部分の収縮力を消失又は低減させる収縮力調整工程を具備する、前記＜２５＞記載のパンツ型吸収性物品の製造方法。
＜２７＞
前記伸縮性シートの伸長は、前記腹側シート部材の連続体又は前記背側シート部材の連続体に連結した後に行う、前記＜２５＞又は＜２６＞に記載のパンツ型吸収性物品の製造方法。
＜２８＞
前記伸縮性シートとして、一対の帯状シートの一方又は双方に、端部接合部及び中央接合部が形成されるように接着剤を塗工し、一対の帯状シートの間に糸状弾性体を該帯状シートの搬送方向と交差する方向に伸長した状態に固定した伸縮性シートを連続的に製造する、前記＜２５＞〜＜２７＞の何れか１に記載のパンツ型吸収性物品の製造方法。
＜２９＞
前記伸縮性シートとして、前記長手方向に間欠的に中央接合部が存在しない領域を有するよう製造する、前記＜２７＞又は＜２８＞に記載のパンツ型吸収性物品の製造方法。
＜３０＞
前記伸縮性シートの伸長は、該伸縮性シートの側縁部における片面を、第１の吸着手段に吸着させるとともに、搬送方向に直交する方向において該側縁部から離間した部位の片面を、第２の吸着手段に吸着させた後、第１の吸着手段と第２の吸着手段との間隔を拡大させて行う、前記＜２５＞〜＜２９＞の何れか１に記載のパンツ型吸収性物品の製造方法。
【符号の説明】
【００５９】
１  パンツ型使い捨ておむつ（パンツ型吸収性物品）
２Ａ  腹側シート部材
２Ｂ  背側シート部材
２２  外層シート
２３  内層シート
２ｃ  上縁部
２ｄ  下縁部
３  吸収性本体
３１  表面シート
３２  裏面シート
３３  吸収性コア
４Ａ，４Ｂ  第３シート部材
４ｃ  上縁部
４ｄ  下縁部
４，４’  伸縮性シート
Ｒ２  収縮力を調整した領域
５，６  シート材
７  糸状弾性体
９  端部接合部
１０  中央接合部
【図１】
2014124288.tif 000003
【図２】
2014124288.tif 000004
【図３】
2014124288.tif 000005
【図４】
2014124288.tif 000006
【図５】
2014124288.tif 000007
【図６】
2014124288.tif 000008
【図７】
2014124288.tif 000009
【図８】
2014124288.tif 000010